(57)【特許請求の範囲】
【請求項１】
先端に筆記部を有するペン先と、内部に低粘度のインクを直液状態で保蔵するインクタンクと、インクタンクからペン先までのインク誘導部とを有し、インクタンクとペン先の間に複数の溝へ内圧調整時にインクを保蔵する調節体であるコレクターを有した筆記具に於いて、
インクタンク内部には、インク導通部を除きインクタンクを前タンクと後ろタンクに実質的に分断する区画部と、該区画部の前方と後方のそれぞれの空間を通気可能な通気部と、を一体又は別部品で備えたシュノーケルを設け、
該インク導通部は、通気部より通気しにくいサイズで、区画部、インクタンク内壁、又は、区画部とインクタンク内壁の両方に設けられ、
該シュノーケルの通気部は、気泡が通過することが可能であり、且つ、コレクターの後端側に開口する前方開口とインクタンク略中央付近もしくはより後方に開口する後方開口を備え、
該シュノーケルをコレクターと同様の濡れ性となる様に、コレクターと同材質にて成形、又はコレクターと同様の表面改質処理を施した事を特徴とするコレクター式筆記具。
【請求項２】
先端に筆記部を有するペン先と、内部に低粘度のインクを直液状態で保蔵するインクタンクと、インクタンクからペン先までのインク誘導部とを有し、インクタンクとペン先の間に複数の溝へ内圧調整時にインクを保蔵する調節体であるコレクターを有した筆記具に於いて、
インクタンク内部には、インク導通部を除きインクタンクを前タンクと後ろタンクに実質的に分断する区画部と、該区画部の前方と後方のそれぞれの空間を通気可能な通気部と、を一体又は別部品で備えたシュノーケルを設け、
該インク導通部は、通気部より通気しにくいサイズで、区画部、インクタンク内壁、又は、区画部とインクタンク内壁の両方に設けられ、
該シュノーケルの通気部は、気泡が通過することが可能であり、且つ、コレクターの後端側に開口する前方開口とインクタンク略中央付近もしくはより後方に開口する後方開口を備え、
該シュノーケルをインクタンクと同様の濡れ性となる様に、インクタンクと同材質にて成形、又はインクタンクと同様の表面改質処理を施した事を特徴とするコレクター式筆記具。
【請求項３】
インクタンク内部には、インクタンクからペン先へインクを誘導する中芯又はコレクター芯に接続するインク保持可能なインク吸蔵体を設け、
該インク吸蔵体は非吸液性の外皮を有すると共にインクタンクの少なくとも略中央よりも後方に位置する長さで前方開口と後方開口からインクを吸収可能とした上で、該インク吸蔵体の外皮はシュノーケル又はインクタンクと同じインク濡れ性となる様に、シュノーケル又はインクタンクと同じ材質で成形、あるいはシュノーケル又はインクタンクのいずれかと同じ表面処理を施した事を特徴とする請求の範囲第１項又は第２項に記載のコレクター式筆記具。
【発明の詳細な説明】
【技術分野】
【０００１】
本発明は、先端に筆記部を有したボールペン、サインペン、マーカー、万年筆、小管式筆記具などのインクを直接保蔵するインクタンクと内部の圧力変化を吸収する溝状調節体であるコレクターを備えた所謂コレクター式筆記具の改良に関する。特にコレクター式筆記具の、航空機での使用など急激な圧力変化を伴う環境で使用する場合の吹き出しや直流の問題と、インクタンク内部に部品が入った場合の外観の不具合を解決する機構の改良に関する。
【背景技術】
【０００２】
従来から存在するペン先１とインクタンク３の間にインクタンク３内の圧力を調整して直液状態のインク２を内蔵しつつペン先１の先端９からのインク漏れや空気孔１０からの吹き出しを防止する内圧調節体であるコレクター６を備えた筆記具が知られている（第５図）。
【０００３】
コレクター式筆記具は、比較的低粘度のインク２をインクタンク３内からコレクター６に設けられた保留溝１３や毛細管を利用した繊維に一時的に保留したり、インクタンク３に戻したりする事で内圧をバランスさせてペン先に圧力変化による影響がない状態に維持する機能を有している。
【０００４】
コレクター式筆記具は、インクの流量が多く、最後まで安定した筆記流量を確保でき、外観からインク２の残量を視認できる優秀な性能を有している。
【先行技術文献】
【特許文献】
【０００５】
【特許文献１】実公平３−３１５８０公報
【特許文献２】実公平３−３１５８１公報
【特許文献３】特開平９−１０４１９４公報
【特許文献４】特開平４−２２７８８６公報
【特許文献５】実開昭５９−１８４６８２号公報
【発明の概要】
【発明が解決しようとする課題】
【０００６】
しかし、コレクター式筆記具はインク２を直接内蔵して、コレクター６へインク２を出し入れすることから、コレクター６の内圧調整能力限界である最大保留容量をオーバーする環境ではインク２を保持するスペースがなくなり、筆記具の空気孔１０から外部へインク２がでてしまい、指や服を汚す重大な欠点が存在している。これを解決もしくは少しでも安全性をアップさせるためには、コレクター６の容量を大きいものにする、或いはインクタンク３を小さくするなどの対策が考えられる。一般的な緩やかな温度変化等の環境下での使用では吹き出すことがないコレクター容量としたものが既に市販されている。
【０００７】
コレクター式筆記具は、現状でも安全性を考慮してやや太い軸となっており、これ以上太い軸にすると握りにくく、外観がスマートでなくなる問題がある。
【０００８】
インクタンク３を小さくした場合には、インク量が減って寿命が短くなる事になる。逆に、コレクター６を長くした場合には、ペン先１にかかるインクヘッドＨは気液交換部１８からペン先先端９の高さとなるため、通常のコレクター６を長くするとインクヘッドＨが高くなって先端９からインク２が漏れる直流が発生する。
【０００９】
また、地上の約１気圧の状態でキャップをして、約０．８気圧前後といわれる航空機内の気圧変化された状態でキャップを開けた場合には、ペン体内部は１気圧でバランスしていた状態から０．８気圧前後の状態に瞬間的にさらされて内部のインク２がコレクター６の空気溝周辺を急激に噴流してしまう。そのため、保留溝１３全体に十分にインク２を保持できずに空気孔１０からインク２が噴き出してしまう。
【００１０】
この気圧変化の状態での吹き出しの問題を解決する目的で、実公平３−３１５８０公報、実公平３−３１５８１公報、特開平９−１０４１９４公報などの考案や発明がなされてきた。
【００１１】
しかしながら、これらでは噴流が直接空気孔に到達させない効果しかなく、さらに有効な改良や違う手段による解決策も望まれていた。
【００１２】
特開平４−２２７８８６公報などの空気供給管などを使用した発明も見られるが、従来の発明ではペン体を上向きにしてインク補給しないと連続して筆記をすることができない問題や、当初からインク量を半分しか入れられない問題などを有しており、消費者にはこの様な取り扱いに関して、又は当初からインク量が少ない件に関して説明をする必要がある。
【００１３】
消費者に全く注意点の説明の必要がなく、特に飛行機の乗り換えや低温の外気から暖房機の前などの急な加圧や減圧を繰り返す環境で使用されることも考えられるため、これらの繰り返しに対して有効な対策を有したうえで、低粘度のインク２を使用して書味の良い特長を生かしたままの優位な直液式コレクター式筆記具が求められている。
【００１４】
コレクター式筆記具において、筆記時にインク２を消費すると気液交換部１８からはインクタンク３側に外気を取り入れて内部が減圧状態にならないようにしていることから、通常はコレクター６の後方は気泡が自由に移動できる空間が必要である。
【００１５】
従来の実開昭５９−１８４６８２号公報などで見られるように、インクタンクの中にインク吸蔵体等の固形物をコレクターの後方に密状態で設けた場合には、気液交換部から発生した気泡がインクで濡れた状態のインク吸蔵体を抵抗なく通過しないとインク吸蔵体自体が第２の気液交換部になってしまう。その場合、筆記具内部の内圧が下がってしまい、カスレが発生するなどの筆記性の不具合が発生する。
【００１６】
上記の問題を解決するためには、コレクターの後方を密閉しない形状にする等の対策が必要である。しかしながら、コレクターの気液交換部は通常１カ所であり、この気液交換部の位置とインク吸蔵体の気泡通過部の位置をうまく合わせて組み立てなければならない問題が発生する。
【００１７】
また、内蔵するインク吸蔵体を小径として、その周囲にインクが出入りできるようにした場合には、吹き出しを有効に防止するため、やや細くなった分はインク吸蔵体の長さを長くする必要が生じる。しかしながら、インクが全くなくなっても、インクタンクが透明の場合、内部が見えてしまうことから、上述した部品がインクで濡れているとまだインクが残っているように見えてしまう錯覚などの外観の問題が発生する。
従って、これらの問題を解決する事が求められている。
【００１８】
また、コレクター式筆記具ではインクがなくなると急に書けなくなる問題があるため、インク量が少ない場合には予備筆記具を携帯しないといけない問題もあり、できれば終筆近くまではコレクター式筆記具の特徴であるたっぷりとした流量が続いて、最後のインクが見えなくなってからはメモ程度は筆記できるように、終筆時のわずかな期間は筆記流量暫減する中綿式のような性能が発揮できないかという終筆性の問題や、上向きで長期保管するとペン先のインクがドロップして筆記しにくくなるインクドロップ性の問題や、同様に上向きにしておくとインクがドロップして気液交換部が乾燥してしまい途中にインクを遮る部品があると下向きにした場合に気液交換部がインクで濡れないためコレクター式筆記具の本来の機能が発揮されず直流してしまう問題や、また、同じインク搭載量であってもコレクター式筆記具のインク流出量は従来の中綿式筆記具に比べ多く、筆記寿命が短くなるため、インクタンク容積は出来る限り減らしたくないという問題、などを解決する要望がある。
【００１９】
そこで本発明は、主に普及型のコレクター式筆記具の改良を目的としており、詳細には温度変化や気圧変化に対するインクタンク３内部の加減圧を吸収してペン先１の先端９からインク２が漏れ出す直流や、コレクター６の圧力調整能力をオーバーして空気孔１０からインク２が出てしまう吹き出しによって消費者の服や指を汚す重大な事故を防止する筆記具を、使い方が特殊になるなどの構造をとらずに提供するという課題を解決することを目的としている。
【００２０】
特に、航空機内での使用や温度変化の激しい環境での使用に対するコレクター式筆記具の吹き出しやすい欠点を解決する事が望まれており、外観や筆記距離（寿命）を従来同様維持したまま上記の問題を解決したコレクター式筆記具を安価に提供するという課題を解決することが本発明の第１の目的である。
【００２１】
さらに上述の問題の解決をする手段としてインク吸蔵体３１等の部品を追加した場合の、インクの流通や気泡の通過を規制しない流路の確保と共に、それらの部品が入ったことでインク残量の確認ができなくなることがない外観の問題、特にインク残量の確認性に影響を与えない構成を有した筆記具を提示することが本発明の第２の目的である。
【００２２】
また上向きで気液交換部が乾燥した状態から下向きで筆記する場合の気液交換部を素早くインクで濡らして直流を防止することが、本発明の第３の目的である。
【００２３】
終筆性の問題やインクドロップの問題なども解決できれば、さらに有効な筆記具を提供できる様になる。
【課題を解決するための手段】
【００２４】
一般的にコレクター式筆記具は、先端に筆記部９を有するペン先１にインクタンク３から低粘度（１００ｍＰａ・ｓ以下）インク２を筆記部９まで流路を確保するインク誘導芯（中芯８やコレクター芯７など）又はコレクター６，６ａのスリット（縦溝１４を先端までのばした場合）などのインク誘導部を有したボールペン、万年筆、小管式筆記具や、インク誘導芯（７，８）そのものがペン先１となるサインペンやマーカー類である。以下、インク誘導芯（中芯８やコレクター芯７など）には、自身がペン先となるものを含めるものとする。
【００２５】
尾栓などの別部品との組み合わせ又は一体で有底コップ状のインクタンク３と、ペン先の間には、複数の保留溝１３（一般的には複数の羽１２の間のスキマ）と外気へ通じる空気溝１５と各保留溝１３の間をインク連通させる細い縦溝１４を有した、あるいはコレクター６，６ａが繊維束であるものなど、毛細管力を利用してインク２を保留するコレクター６，６ａを設け、コレクター６，６ａに設けられた十分に小さいサイズの気液交換部１８をインク２で濡らすことにより、インクタンク３と外気を遮断して気液交換部１８以外では外気がインクタンク３内部に流通できない構造としてある。
【００２６】
本発明では上記の一般的なコレクター筆記具の構成を設けると共に、まず本発明の有効な手段としては、インクタンク３内部に後方の膨張した空気をコレクター６，６ａ側へ抜いてインク２へ圧力がかかるのを防止する通気部２７を一体又は部品の組み合わせで備えるシュノーケル２５を設ける。これはペン先１が下向きの状態において、インク２がある程度消費されインクタンク３内部に占める空気の量がある程度存在する場合に吹き出しを有効に防止する手段となる。
【００２７】
またシュノーケル２５に一体又は別体でインクタンク３をほぼ分断する区画部２６を設けて、シュノーケル２５の通気部２７から通気しやすくする。区画部２６には適宜通気部２７よりは通気しにくいサイズのインク導通部３０を設ける。
【００２８】
筆記時にコレクター６，６ａの気液交換部１８から空気置換された外気が気泡となってインクタンク３に流れ込んだ場合に、インク吸蔵体３１やシュノーケル２５等によって気泡が抵抗をほとんど受けることなく後方の空間へ移動できるように、該コレクター６，６ａとシュノーケル２５の間に空隙部４２を設ける事は望ましい。その空隙部４２は筆記具の周囲が相対的に減圧状態である場合に筆記具のインクタンク３内部の相対的に高い内圧を逃がす通気路ともなる。
【００２９】
本発明の有効な第１の手段としては、シュノーケル２５をコレクター６，６ａと同じ濡れ性となるように構成したものである。具体的な手段としては、シュノーケル２５をコレクターと同じ材質で成形するか、もしくはコレクター６，６ａと同じ濡れ性になるようなコレクター６，６ａと同じ濡れ性改質処理を行う。コレクター６，６ａは通常はＡＢＳ、ＡＳ、ＰＳ、ＰＰ、ＰＥＴ及びこれらに界面活性剤など各種添加剤を混練りしたものなど耐インク性のある材質で成形され、さらに一般的には表面のインク濡れ性を改善する目的でプラズマ処理、硫酸クロム酸混液などの化学処理などを利用した親水処理を行うことは従来から行われてきた。本発明のシュノーケル２５も同様の材質又は表面改質処理を行うことで、インク２の濡れ性がよくなり、筆記時の気泡が移動しやすくなる事から筆記性に影響が出ない効果と、インクタンク３内の部品上にインク２が極薄く表面に濡れ広がることでインク残量がない場合の外観の問題の改善が期待される。
【００３０】
本発明の有効な第２の手段としては、シュノーケル２５をインクタンク３と同じ濡れ性となるように構成したものである。具体的な手段としては、シュノーケル２５をインクタンク３と同じ材質で成形するか、もしくはインクタンク３と同じ濡れ性になるような同じ濡れ性改質処理を行う。インクタンク３は、通常はＡＳ、ＰＳ、ＰＰ、ＰＥＴ及びこれらにテフロン粒子など各種添加剤を混練りしたものなど耐インク性のある材質で成形され、表面のインク濡れ性を悪化させてはじく目的のものである。特に、従来より油性ボールペンのチューブ等では表面が濡れにくいＰＰ樹脂で成形したり、さらにシリコーンオイルやテフロンコーティングなど撥水処理されることは従来行われてきた。本発明のシュノーケル２５も同様の材質又は表面改質処理を行うことで、インク２の濡れ性が悪くなり、筆記時の気泡が通気部２７に入りやすくなって筆記性に影響が出ない効果と、インクタンク３内の部品がインク２をはじくことでインク残量がない場合の外観の問題の改善が期待される。
【００３１】
本発明の第３の手段としては、インクタンク３の内部にインクタンク３からペン先１へインク２を誘導可能とするために設けた中芯８，コレクター芯７又は縦溝１４に接続したインク保持可能な中綿、スポンジ、繊維束、発泡体などのインク吸蔵体３１を内蔵した。
【００３２】
インク吸蔵体３１は、少なくともインクタンク３の略中央よりも後方まで位置しており、少なくともインク吸蔵体３１の前方及び後方の両方からインク２を吸収可能とした。
【００３３】
インク吸蔵体３１としては、一般的な繊維を接着剤や熱により固定、成形した繊維束芯や柔らかい繊維や連泡スポンジを、非吸液性の外皮で巻いた中綿が使用できる。有効にインク２を消費するためには、中芯８，コレクター芯７よりも毛細管力を小さくするなどの手段を適宜選択する事が望まれる。
【００３４】
本発明の第４の手段としては、インク吸蔵体３１の外皮３５をインクタンク３又はシュノーケル２５と同じ濡れ性となるように構成したものである。具体的な手段としては、外皮３５をシュノーケル２５又はインクタンク３と同じ材質で成形するか、もしくはシュノーケル２５又はインクタンク３と同じ濡れ性になるような上述した同じ濡れ性改質処理を行う。この様な構成とすることで、インク濡れ性による外観の問題が発生することがない。
【図面の簡単な説明】
【００３５】
【図１】本発明の第１実施例である筆記具本体の全体を示す縦断面図である。
【図２】本発明の第１実施例である筆記具のコレクター６ａの仕切部１９Ａの斜視図である。
【図３】本発明の第１実施例である筆記具の後方拡大縦断面図である。
【図４】本発明の第１実施例であるコレクター６ａの上方外観図である。
【図５】従来の筆記具を示す縦断面図である。
【発明を実施するための形態】
【００３６】
以下、図示した実施例について詳説する。尚、前記した構成と同一部分には同一符号を付して説明を省略する。
【００３７】
第１図に示すように本発明の第１の実施例の筆記具は、まず先端にボールの筆記部９を有するペン先１にインクタンク３からのインク２を筆記部９まで流路を確保するインク誘導芯として中芯８やコレクター芯７のインク誘導部を有したボールペンである。
【００３８】
ペン先１には既に述べたようにサインペン、万年筆、小管式筆記具等各種の筆記具のペン先１を応用できる。一体又は尾栓等の部品との組み合わせで有底コップ状のインクタンク３と、ペン先１の間には、複数の羽１２を設けてそのスキマを複数の保留溝１３として機能させ、外気へ通じる空気溝１５と各保留溝１３の間をインク連通させる細い縦溝１４を有したコレクター６ａを設けた、所謂コレクター式筆記具である。
【００３９】
このコレクター６ａは、従来から用いられている横方向の保留羽１２を用いたものなど、いずれにしても毛細管力のバランスで加減圧による変化をインクを一時保留する事で調整する機能と、気液交換部１８の小径メニスカス機構を利用してインクタンク３内部を相対的に減圧としてペン先１の内部にはインクヘッドが余分にかからない機能とを有した部品である。
【００４０】
コレクター筆記具では直液状態のインク２をインクタンク３内部に保蔵すると共に、コレクター６ａに設けられた十分に小さいサイズの気液交換部１８をインク２で濡らすことにより、インクタンク３と外気を遮断して気液交換部１８以外では外気がインクタンク３内部に流通できない構造としてある。
【００４１】
コレクター６ａは、通常はプラズマ処理や硫酸クロム酸混液等の化学処理や成形樹脂中に濡れやすい石鹸成分などを混練りでの濡れ性改善や表面コーティングなどでインク２に対して濡れやすくする処理をする。その他のクチプラ５，継手４、キャップ（図示せず）、及びインク２などは特に本発明により限定されるものではなく、従来から用いられているものが適宜選択可能である。インク２も同様に、水、アルコール、キシレン、各種グリコール系溶剤類、各種エーテル系溶剤等の各種溶剤のものや、染色剤としての顔料インクや染料インクのものや、やや粘度や擬塑性を付与したインクなど、コレクター式筆記具として使用可能なものが適宜選択可能である。
【００４２】
コレクター筆記具は、いずれも圧力変化に対してバランスする機能を利用して直液状態のインクを内部から漏れ出さないようにする機能を有している。インクタンク３の内部の内圧が変化すると気液交換部１８を介してインク２がコレクター６ａの保留溝１３へ入ったり、逆に気液交換部１８から空気がタンク３内に入ったりして内圧のバランスをとって、ペン先１の内部への圧力はインクヘッドＨ以外にはほとんどかからないようになっており、気液交換部１８のメニスカスによりインクタンク３側を実質的には外気よりも減圧状態とするメカニズムでペン先１からの直流を防いでいる。
【００４３】
気液交換部１８のサイズを小径にすれば内圧を低くする事が可能となりインクの漏れだしを防止しやすくなるが、同時に筆記に対してもインクが流れにくくなるため、気液交換部１８のサイズは一般的には０．０５ｍｍから０．２ｍｍ程度のサイズとなっている。
気液交換部１８は、溝形状のものや、繊維束芯である中芯やコレクター芯を綿で設けた場合などでは、繊維間のスキマが気液交換部１８となる。
【００４４】
一般的に、筆記時のインク消費によりインクタンク３内部のインク２の量がコレクター６の最大保留できる量よりもやや多いインク残量の時がインクタンク３内の空気膨張が最も多く、外気の加減圧や気温変化によるタンク３内部空気の膨張収縮がある場合でも、コレクター６内にインク２が充満して空気孔１０からインク２が吹き出す不具合が起こらないように従来のコレクター筆記具では設計されている。一般的には、インクタンク３の大きさとコレクター６の最大インク保留容量ｉとの間には相関関係が成り立つ知見が得られており、従来より通常はインクタンク容積の１０％から３０％程度の最大インク保留容積となるように設計される。
【００４５】
一般的に、最大インク保留容積をインクタンク３のサイズに比較して大きな比にしていけば吹き出しに関する安全性は向上するものの、コレクター６の長さをあまりにも長くした場合にはペン先１へかかるインクヘッドＨが大きくなってしまい、ペン先からの直流の問題が発生する。
【００４６】
コレクター６の径を大きくすると、軸サイズが太くなってしまって握り部の太さの問題や外観のスマートさに影響が出やすい。
【００４７】
また、インクタンク３を小さくすると、インク容量が減少してしまい、筆記距離が短くなるなどの問題がある。
【００４８】
そのために、本発明の実施例では第１図のように主要部保留溝１６に追加した補助保留溝１７を設けてインクヘッドＨを増加させずにコレクター容量を増加させた。
【００４９】
補助保留溝１７部分（仕切部１９）の斜視図を第２図に示す。
補助保留溝１７は、インク保留量を増大させる為に仕切部１９Ａに設けられている。
【００５０】
仕切部１９Ａは、気液交換部１８を設けた最先端仕切部１９ｃとインクタンク３に面する最後端仕切部１９ｄと、該最先端仕切部１９ｃと最後端仕切部１９ｄとを接続する仕切部延伸部１９ａを有している。第２図に示す斜線の部分がインクで濡れ、外気と遮断される。空気のインクタンクへの出入りは気液交換部１８で行われる。
【００５１】
補助保留溝１７には、外周面に所定間隔を設けて鍔状に起立するフィン状の羽１２ａを複数枚設けることでスキマとなる保留溝１３ａを形成している。本実施形態では、係る羽１２ａを所定間隔を隔てて６枚に設けて、補助保留溝１７を形成している。
【００５２】
仕切部１９Ａは、気液交換部１８（溝又は孔）と共にインク２で濡れることによりインクタンク３内部と外気とを実質的に遮断でき、筆記時、空気置換する場合には気液交換部１８のみが空気置換する構成としたものである。
【００５３】
仕切部１９Ａは、意識的な溝や孔がないものや、細い溝や孔を設けたとしても気液交換部１８のサイズよりも十分小さいサイズのものであれば、インク２で一旦濡れてしまえばその部分は空気置換をすることはなく、実質的に遮断されていると見なすことができる部品の構成や組み合わせとすればよい。
【００５４】
仕切部延伸部１９ａ、最後端仕切部１９ｄと最先端仕切部１９ｃに囲まれた部分には、空気置換した気泡が気液交換部１８からインクタンク３側に移動可能な通路となる包囲部１９ｂを設けている。
【００５５】
包囲部１９ｂは、空気置換により発生した気泡がインクタンク３側に移動するためのやや幅広の溝や切り欠きや孔であり、通常は筆記具をペン先側下向きにした場合には、インク２で充満されている形状のものが望ましい。本実施形態の包囲部１９ｂの形状は、気液交換部１８側からインクタンク３側に従って、コレクター６ａの軸の半径方向の幅が徐々に増加するような空間に形成している。このように、包囲部１９ｂの形状を気液交換部１８側からインクタンク３側に従って開口面積を徐々に広げてゆくと、開口面積を同一にした場合に較べて気液交換部１８から発生した気泡をより容易にインクタンク３側に移動させることが可能となる。
【００５６】
さらに、包囲部１９ｂには、横溝２２と気液交換部１８へとインク２を導く幅狭溝２１を設けている。
【００５７】
幅狭溝２１は、主要保留溝１６に接続される細長い縦溝１４とほぼ同じでインク２を導入、接続する作用をするため、縦溝１４と似たサイズや形状とすればよいが、切り欠きや孔等、インク２を横溝２２にも連通できる機能が発揮される形状であれば部品を組み合わせていてもよい。
【００５８】
さらに、横溝２２から保留溝１３ａにインク２を誘導するために、仕切部延伸部１９ａの外周面には、保留溝１３ａと略同一幅の溝状の仕切部溝２３を形成している。
【００５９】
さらに、包囲部１９ｂには、幅狭溝２１からインク２を仕切部溝２３へ誘導可能とするために、幅狭溝２１から仕切部溝２３を結ぶ横溝２２を設けている。
【００６０】
横溝２２は、インクタンク３側から幅狭溝２１によって導入されたインク２を補助保留溝１７と連通させるための機能を有する溝、切り欠き、孔、複数の部品の組み合わせによるスキマなど実質的にインク２を補助保留溝１７へ誘導できる構成や形状であればよい。
【００６１】
また、本実施の形態では包囲部１９ｂ側から補助保留溝１７側にインク誘導性を高めるために、仕切部延伸部１９ａのエッジ部分を削除して、面削ぎ部２４を形成している。
【００６２】
面削ぎ部２４は、包囲部１９ｂ側から補助保留溝１７側に向かうに従って開口面積を狭くするように形成されている。
【００６３】
本実施形態では、インクヘッドＨは気液交換部１８からペン先１の筆記部９までであり、従来のコレクター筆記具と変わらないことから筆記部９からのインクの漏れだしである直流は発生しない。
【００６４】
インクタンク３内の空間が膨張収縮した場合の調整能力であるコレクター６ａの最大インク保留量ｉは、従来のコレクター６に比べて補助保留溝の最大インク保留量ｉｅの分だけ増加していることから、加減圧や温度変化に対しての対応能力が上がったコレクター式筆記具となっている。
【００６５】
本発明の補助保留溝１７とインクタンク３内部のインク２とを連通させる目的の、幅狭溝２１、横溝２２及び仕切部溝２３などで構成されるインク導排出構成によって、急な加減圧の場合にインクタンク３のインク２が、コレクター６ａの主要部保留溝１６に流れると同時に補助保留溝１７へ流れる。よって、従来のように全てのインク２が空気置換部１８のみを経由して勢いよく吹き出すのではなく、補助保留溝１７にも流れることで結果的に噴流を緩和することができる。
【００６６】
また、補助保留溝１７、横溝２２、仕切部溝２３及び幅狭溝２１の構成によって上述した外気の急な減圧の場合に、補助保留溝１７にインク２が流入できることで主要部保留溝１６に流れるインク量を減少させると共に噴流を弱めることができる。
【００６７】
また、外気の急な加圧状態の時には、補助保留溝１７内のインク２が補助保留溝１７、横溝２２、仕切部溝２３及び幅狭溝２１の構成によってインクタンク３に戻ることが気液交換部１８から戻るよりも容易にできるので、さらに加減圧を繰り返しても改めてインク２を保留することが可能なコレクター６ａのインク保留量が確保されやすい事から、吹き出しに対する許容量を増加させることが可能となる。
【００６８】
仕切部１９Ａはやや変則的な形状となり、組立時や長期上向きでコレクター端面部が乾燥した場合などでは、当該部分をインク２で同時に濡らすには困難な場合が生じる。そこでこの部分を安定してインク２で濡らして実質的にインクタンク３と外気との間を遮断する目的で、インクを誘導する幅狭溝２１とそれに連接して補助保留溝１７までインク誘導が可能となる横溝２２と仕切部溝２３とを設け、幅狭溝２１がインク２で濡れると仕切部１９Ａはすべてインク２で濡れる構成としている。
【００６９】
また、最後端仕切部１９ｄには、導出部３９をコレクター６ａと一体に設け、幅狭溝２１に連続する導出溝４０を備えたツノ状の突起部４１をインク吸蔵体３１の前端内部に挿入した構成とした。
【００７０】
突起部４１を設けることで、インク２を消費してインクタンク３内部の直液状態のインク２がなくなった状態かつインク吸蔵体３１にはほぼ１００％のたっぷりとしたインク２が保蔵されている状態でペン先１を下向きにしたとしても、インク吸蔵体３１内部のインク２をコレクター６ａの気液交換部１８に流すことができる事で気液交換部１８のメニスカスを形成し、直液状態のインク２が存在している時と同様のペン先１へのインクヘッド高さＨとすることができるために直流を防止できる。
【００７１】
また、最後端仕切部１９ｄには、スペーサー部４４を設けている。これにより、空隙部４２が形成され、気液交換部１８からの気泡がスムーズにシュノーケル２５の通気部２７を通過してインクタンク３の後方に抜けることが可能となるものである。
【００７２】
該スペーサー部４４は、コレクター６の後端部のごく一部に設けたり、気泡通過溝４５（第２、第３図）を設けたりして、気泡が移動できるような空隙部４２（第２、第３図）を備える形状とした。
【００７３】
また、スペーサー部４４にはインク吸蔵体３１の前方との受け面４７（第３図）を設けることにより、インク吸蔵体３１のコレクター６ａ側への移動を規制可能とした。
【００７４】
スペーサー部４４のサイズは、気泡が通過できる空間があればよいが、あまり大きくしすぎるとインク吸蔵体３１の長さが短くなる、筆記時にインク２が前タンク３７側に流れてこなくなりやすいなどの小さな問題が発生する可能性があり、あまりサイズを小さくすると気泡の通過ができなくなる問題が発生する。一般的なコレクター筆記具の気液交換部１８の幅は０．０５ｍｍから０．２５ｍｍ程度のスリット状の縦溝であり、そこから発生する気泡は気液交換部１８よりも大きくなるが最大でもφ１．５ｍｍ程度、通常はφ１ｍｍ前後の気泡が発生する事から、空隙部４２の大きさは約１ｍｍ前後から３ｍｍ程度の大きさとすることが望ましい。
【００７５】
従来、航空機での使用のように、地上での約１気圧と約０．８気圧といわれる飛行中の機内との間で使用を繰り返されると、コレクター式筆記具ではコレクター６内に急激に入ったインクが噴流となって十分に保留することなく吹き出したり、急に外気が加圧状態となるとコレクター６内のインク２をタンク３に戻す事なく空気だけがタンク３に入ってしまう。特にこれらを繰り返すとコレクター６の保留溝１３は順次インク２を蓄積した状態となって吹き出したり、吹き出さなかったものでも体温程度のわずかな温度上昇でも吹き出してしまう現象による欠点を解消することが望まれてきた。
【００７６】
本発明の第１実施例では、有効な構成として、まずインクタンク３を実質的に分断する区画部２６を設け、ペン先１が下向きの状態で、インクタンク３内部の空気が膨張した場合に、この空気を抜いてインク２はタンク３内部に極力残す様になるシュノーケル２５を設ける。
【００７７】
シュノーケル２５には、インクタンク３を分断する区画部２６と管状の通気路である通気部２７を備え、コレクター６ａの後端側に開口する前方開口２８（第１、第３図）とインクタンク３の略中央付近もしくはより後方に開口する後方開口２９（第１図）を通気部２７で通気する。
【００７８】
区画部２６は、インクタンク３の内壁に圧入して前タンク３７と後タンク３８に実質的に分断している。
【００７９】
区画部２６には、通気部２７のサイズよりも十分に小さい溝や孔であるインク導通部３０を１カ所（望ましくは通気部２７よりも小さいサイズで複数箇所）に設けた。尚、インク導通部３０はインクタンク３の内壁側、或は区画部２６とインクタンク３の内壁側の両方に設けてもよい。また、インク導通部３０は、複数箇所に設けてもよい。
【００８０】
この様な構成のシュノーケル２５を設けることで、インク量が減少した状態で、ペン先１を下向きにした場合には、インクタンク３内部のインク２は区画部２６で区画された後タンク３８側からインク導通部３０を通過して前タンク２７側に移動可能である。つまり、区画部２６でタンク３を分断はしているが実質的にはインク導通部３０により遮断はしていないので、連続的に筆記したりコレクター６側にインク２を移動したりすることが可能である。実際に試作して確認しても筆記状態ではインク２は前タンク２７側に移動してくる事は確認できた。ゆっくりとした気圧や温度の変化状態では、従来同様コレクター６ａ等を設けることで、十分にコレクター６ａのインク保留能力を発揮することができる。
【００８１】
航空機での使用や低温と高温の環境間での使用においては、内部のインク２の揮発防止のためのキャップによりシールして移動される。航空機での使用を例として説明すると、通常は約１気圧の地上で使用され、その１気圧に対応したインクタンク３の内部の圧力となった状態でキャップされてその内圧状態を維持する。航空機に搭乗し約０．８気圧の減圧状態で筆記具を使用する時には、キャップをまず開ける。この時には筆記具の内圧は約１気圧の状態から急激に０．８気圧の環境に開放されたことになり、インクタンク３の内圧は航空機内の気圧より相対的に高くなっているので、コレクター式筆記具では急激にインク２が気液交換部１８を経由してコレクター６の内部を噴流となって噴出する。
【００８２】
シュノーケル２５を設ける本発明の構成では、内圧が相対的に高くなった状態のタンク３内部の空気を通気部２７によって優先的にコレクター６ａ側に逃がす事ができる。前タンク３７周辺のインク２も同時に流れ込んでくるが、その容量は十分に小さく、吹き出しを防止することが可能である。
【００８３】
コレクター式筆記具の通常の使用状態では，筆記によって流出したインク２と同量の空気が気液交換部１８からインクタンク３側に気泡として入り、また、通常キャップした状態では上向きでポケットに収容されるか鞄に横向きで保管される事から、一般的には前タンク３７はインクが存在しない状態となっていることが多く、急加減圧時にコレクター６ａ側に流れ込むインク２がほとんど無い状態、つまり吹き出しにくい状態である可能性が高くなる構成となっている。
【００８４】
筆記具内部で急激なインク２又は空気の移動がある場合には、区画部２６によりインク２が直接コレクター６ａに到達することができず、通気部２７と通気部２７よりもサイズの小さいインク導通部３０の間で十分に流路抵抗に差があれば、急激な移動であればあるほどインク２や空気が流れやすい方にのみ流れが発生する。インクと空気では同じサイズの通路でも、空気の方が遙かに流れやすい。つまり急激な変化では空間に開口した通気部２７から空気が抜ける方が、下向きの状態でインク２で濡れているインク導通部３０をインク２が流れていくよりも流路抵抗が遙かに少なく、結果的には急な加減圧時にはほぼ空気だけがコレクター６ａ側に流れる構成となっている。
【００８５】
通常、キャップ後はペン先１が上向きの状態で長時間放置されることから、インク量が減少したときにはコレクター６ａ周辺は空間となる可能性が高く、筆記しようとして下向きにした状態では、既に述べたように時間をかければインク２が流れ出て気液交換部１８まで濡らすことはできるが、区画部２６によって容易には（最大で数分程度）コレクター６ａ側にインク２が流れてこない場合がある。この時には気液交換部１８がインク２で濡れないことから、コレクター６ａの気液交換部１８をインク２で濡らすことでメニスカスによってインクタンク６ａ内を外気よりも減圧状態としてペン先からの直流を防止するコレクター式筆記具の機能が満足できない場合が発生してしまう。この様な場合の直流の不具合を解決するために本発明では、インクタンク３側から気液交換部１８までの下向きの場合のインク２の流れを確保できるようにシュノーケル２５をコレクター６ａと同様にインク濡れ性の良い材質で成形又は濡れ性改質処理したものである。具体的には、第１の実施例ではシュノーケル２５をプラズマ処理にて濡れ性改質した。この様にすることでインクタンク３内部に内蔵されるシュノーケル２５の表面をインクが濡れ広がることが可能となって気液交換部１８を濡らす事が容易となる上に、筆記時に発生した気液交換後の気泡移動もスムーズになり、筆記性に悪影響を与えることがない。
【００８６】
さらに本発明の構成では、インクタンク３内にインク２に浸積された状態の部品を内蔵するため、それらの部品にインク２が付着した状態では、まだインク２が残っているかのような外観を呈する不具合が発生する場合がある。この外観の問題を解決するためにも、シュノーケル２５をインク濡れしやすい材質や処理を行うと有効である知見が得られた。つまりインク２が全て無くなった場合でも部品表面は濡れやすくなっていることからコレクター６ａ後端や筆記のための中芯８，コレクター芯７等へインク２を流す効果が高くなるために部材表面へのインク付着量が減ることと、付着したインク２が部材表面に非常に薄く広がることからインク２の色力が無くなって部材本来の色が見えるため、インク２が残っている様に見える錯覚現象が起こらない為である。
【００８７】
第２の特徴的な構成としては、インク保持可能な吸蔵体３１を上述したシュノーケル２５と共に設けたことである。本発明者は既にインク吸蔵体３１をインクタンク３内に設けることにより、インク２の量を減らすことなく、インク２を消費してインクタンク３内に空間ができた場合に、その空間の容積を減らす効果（以下、「容積減少効果」という）があることを発明している。
【００８８】
インクタンク３は、通常はインク残量の視認性やインク揮発防止性などを考慮してＰＰ、ＰＥ、ＰＥＴ、ＰＳ、ＡＳなどの透明樹脂で成型される。ただし、インクタンク３は表面にインク２が濡れやすいと、インク２が残っている場合の内部のインク残量視認性が悪い場合がある。ＰＰ、ＰＥなどの場合は臨界表面張力が低くインク濡れ性が悪いためインク２をはじいて視認しやすいが、ＰＳ、ＡＳなどではインクに濡れやすいためシリコーンオイル処理やテフロンコーティング処理や材料に撥水性の添加剤を混練りした材料で成形することが行われる。上述の知見を応用して、シュノーケル２５又はインク吸蔵体３１の外皮３５を、撥水処理もしくはＰＰなどで成形して確認したところ、インク２ははじかれてインク滴となってコレクター６ａの後端等に流れて、インクが残っているかのような錯覚は起こらない外観とできる知見が得られた。インク２をコレクター６ａ側に落ちやすくする流路や溝などの手段が確保できる場合にはこの様な撥水（撥インク）処理を施すことも可能である。
【００８９】
上述したように、本発明では急な加減圧の場合の空間の膨張量自体を減少させることで吹き出しの勢いを弱め、コレクター６ａ側に流れ出す量を減らすことが可能となる。構成としては、中綿などのインク吸蔵体３１を、シュノーケル２５の通気部２７を塞がないように設けた。インク吸蔵体３１の容積減少効果を発揮するためには、インクタンク３の略中央周辺又はそれよりも後方まで延びた長さをインク吸蔵体３１は有している必要がある。これにより、インク２を吸蔵した状態ではインクの搭載容量は減らさずに後方の空間を占有する事で実質的には加減圧時の空気膨張を減少させることができる。
【００９０】
更に、インクタンク３の外部からインク残量が視認確認できるという直液式筆記具の利点を生かすため、インク吸蔵体３１の径方向周辺の少なくとも一部の空間にインク２が自由に出入りする必要があり、このためインク吸蔵体３１の外径はインクタンク３の内径よりも十分に小さくした。
【００９１】
（作用）
実施例に於いて、本発明の作用を説明する。
本発明の構成とすることで、従来のコレクター筆記具の温度変化による比較的ゆっくりとした内圧変化に対応してインクが吹き出すことのない作用はまったく同様に有しているばかりでなく、航空機での使用時を考慮した急激な圧力変化した場合に、タンク中の空気を抜くことでインクタンク側からコレクターにインクが急激に流入する事を防止する作用を有している。
【００９２】
また空気が抜けることから仮にインクが流れてもインクの噴流の勢いを弱めることができ、繰り返して加圧減圧の環境で使用されてコレクターにインクが蓄積されてしまう問題も解決することが可能となる事で、総合的にコレクター筆記具の吹き出しや直流の事故を防止する作用を有している。
【００９３】
インク吸蔵体と組み合わせて使用することで、本発明の膨張した空気を極力筆記具の外部へ逃がす作用とインク吸蔵体の容積減少効果との相乗効果によって、吹き出しに関する問題が発生しにくい筆記具とできる大きな作用を有している。
【００９４】
さらに小さなインク吸蔵体を有していることからペン先を上に向けた状態でのインクドロップの問題も解決可能であると共に、筆記寿命の最後の１００ｍ程度はインク吸蔵体３１があるためごくわずかには筆記可能にできる事から、直液式筆記具での急にかけなくなってしまう終筆性の問題も解決できる作用を有している。
【００９５】
本発明の構成とすることで、気液交換部１８からの気泡がスムーズに流れる空隙部が常に確保されてコレクター式筆記具の有する優秀な筆記性能を阻害することが無く、インク２が部材表面を流れる構成を確保している場合には気液交換部１８を常時濡らすことでコレクター式のメニスカスによる直流防止機能の安定化や筆記性の安定化をもたらす作用を有している。
【００９６】
さらに本発明の材質、表面改質処理を施した部材を用いることで、インク２の濡れ性を変化させる作用を有していることから、インク２がないにも関わらずインクタンク３内部にインク２が残っているかのような錯覚を起こすことがない作用を有している。この様な作用を有していることから何ら問題が発生することがなく、急激な内圧変化の調整を行い、どの様な状況でも現在の筆記具の使用環境では吹き出しや直流の問題が発生しない筆記性に優れ外観の良い筆記具とできる作用を有している。
【００９７】
本発明の筆記具の構成及び作用は以上の如くであり、細身で外観が良く、筆記性の優れた筆記具とする事ができる。
【００９８】
航空機による加減圧下や、温度変化、キャップによるポンピング現象による吹き出し、落下等による筆記異常やペン先からの直流現象、が発生しにくくなり、安全かつ安定した筆記性を確保できるようになる。特に、航空機を乗り継いで筆記をするビジネスマンが使用するような航空機の減圧環境を繰り返し受ける環境でも吹き出しや直流の事故のない筆記具とすることができる。
【００９９】
さらにインク吸蔵体と組み合わせることで、さらに安全性が増すだけではなくインクドロップの問題や終筆性の問題も同時に解決できることから従来のコレクター筆記具と比較しても上述のような有効な効果があり、航空機での使用を満足させるための部材による不具合が発生せず、製造が容易で、安価で外観の良い、長期保存性や終筆時のインク残量確認性に優れた安全なコレクター筆記具を提供できる効果がある。
【０１００】
尚、上記した実施例では、最良の形態として補助保留溝１７を設けたコレクター６ａを用いて説明したが、本発明を補助保留溝１７を設けないコレクター６に適用しても同様の作用効果を得ることができる。
【産業上の利用可能性】
【０１０１】
航空機による加減圧下や、温度変化等の環境化で使用するコレクター筆記具に利用できる。特に、航空機を乗り継いで筆記をするビジネスマンが使用するような航空機の減圧環境を繰り返し受ける環境で使用する筆記具に利用できる。
【図１】
0004605968.tif 000002
【図２】
0004605968.tif 000003
【図３】
0004605968.tif 000004
【図４】
0004605968.tif 000005
【図５】
0004605968.tif 000006